(57)【要約】  【課題】  それぞれに開閉弁が設けられている一対の供給流路に対して、吐水・止水操作を容易に行うことができる混合栓および混合栓用止水栓を提供すること。  【解決手段】  吐水口１ａに連通する一対の供給流路５，６が設けられている混合栓１において、一方の供給流路５の上流側、下流側および他方の供給流路６の上流側、下流側をそれぞれ同時に連通または非連通にする手段を備え、その手段が、吐水・止水操作を行うための単一の操作部材７と、この操作部材７の操作に連動するよう一方の供給流路５および他方の供給流路６にそれぞれ設けられた開閉弁５ａ，６ａを含むことを特徴としている。【選択図】            図２
2008095878.tif 000002
【特許請求の範囲】
【請求項１】
吐水口に連通する一対の供給流路が設けられている混合栓において、一方の供給流路の上流側、下流側および他方の供給流路の上流側、下流側をそれぞれ同時に連通または非連通にする手段を備え、その手段が、吐水・止水操作を行うための単一の操作部材と、この操作部材の操作に連動するよう一方の供給流路および他方の供給流路にそれぞれ設けられた開閉弁を含むことを特徴とする混合栓。
【請求項２】
前記開閉弁は、筒体に内蔵されているスプリングの付勢力によって閉状態となるスライド式の弁体と、前記スプリングの付勢力に抗する押し下げ操作によって筒体内を下向きにガイドされ前記弁体を開状態とする被ガイド体とを備え、さらに、一方の供給流路に設けた前記被ガイド体と他方の供給流路に設けた前記被ガイド体が前記操作部材の操作によって同時にガイドされるよう単一のガイドプレートに連動連結されている請求項１に記載の混合栓。
【請求項３】
一方の供給流路と他方の供給流路を流れる流体が流量調整された後合流されるよう構成されるとともに、その流量調整は、両供給流路それぞれの下流側で行われる請求項１または請求項２に記載の混合栓。
【請求項４】
混合栓本体に連通する一対の供給流路が設けられている混合栓用止水栓において、一方の供給流路の上流側、下流側および他方の供給流路の上流側、下流側をそれぞれ同時に連通または非連通にする手段を備え、その手段が、連通または非連通のための操作を行うための単一の操作部材と、この操作部材の操作に連動するよう一方の供給流路および他方の供給流路にそれぞれ設けられた開閉弁を含むことを特徴とする混合栓用止水栓。
【請求項５】
前記開閉弁は、筒体に内蔵されたスプリングの付勢力によって閉状態となるスライド式の弁体と、前記スプリングの付勢力に抗する押し下げ操作によって筒体内を下向きにガイドされ前記弁体を開状態とする被ガイド体とを備え、さらに、一方の供給流路に設けた前記被ガイド体と他方の供給流路に設けた前記被ガイド体が前記操作部材の操作によって同時にガイドされるよう単一のガイドプレートに連動連結されている請求項４に記載の混合栓用止水栓。
【発明の詳細な説明】
【技術分野】
【０００１】
この発明は、混合栓および混合栓止水栓に関するものである。
【背景技術】
【０００２】
吐水口へ水または湯水混合水を供給するため湯供給流路および水供給流路にそれぞれ設けられた開閉弁を有する混合栓として、従来より下記特許文献１に記載されているような、例えば浴槽のバスデッキに取り付けられるツーバルブ混合栓がある。この混合栓は、水または湯水混合水を吐水する単一の吐水口と、混合室と、混合室へ連通する湯供給流路と、混合室へ連通する水供給流路と、湯供給流路を連通または非連通にする開閉弁およびこの開閉弁を操作する一方の湯側操作部材（例えばハンドル）と、水供給流路を連通または非連通にする開閉弁およびこの開閉弁を操作する他方の水用操作部材（例えばハンドル）とを備えており、これら二つの操作部材の操作量をそれぞれ調整することによって所望の温度の湯水混合水を吐水口から吐水できるように構成されている。
【０００３】
【特許文献１】特開平１０−３０７４０号公報
【発明の開示】
【発明が解決しようとする課題】
【０００４】
しかし、湯水混合水の温度調整のため湯側、水側の二つのハンドルを操作する必要があり、操作性が必ずしもよくなかった。また、二つの開閉弁を交換する場合等二つのハンドルを取り外すためメンテナンスが必ずしもよくなかった。さらに、バスデッキ上面に、吐水口と二つのハンドルの三部材が露出した状態で設けられていることから、清掃作業に手間がかかるといった問題やデザイン的にシンプルでないといった問題があった。
【０００５】
一方、例えば洗面化粧台のカウンターに取り付けた混合栓の上流側に設けられている湯用および水用の各止水栓でも、これら止水栓に組み込まれた開閉弁を交換する場合等においてメンテナンスが必ずしもよくなかった。
【０００６】
この発明の目的は、それぞれに開閉弁が設けられている一対の供給流路に対して、吐水・止水操作を容易に行うことができる混合栓および混合栓用止水栓を提供することである。
【課題を解決するための手段】
【０００７】
上記目的を達成するために、この発明の混合栓は、吐水口に連通する一対の供給流路が設けられている混合栓において、一方の供給流路の上流側、下流側および他方の供給流路の上流側、下流側をそれぞれ同時に連通または非連通にする手段を備え、その手段が、吐水・止水操作を行うための単一の操作部材と、この操作部材の操作に連動するよう一方の供給流路および他方の供給流路にそれぞれ設けられた開閉弁を含むことを特徴としている（請求項１）。
【０００８】
また、この発明は別の観点から、混合栓本体に連通する一対の供給流路が設けられている混合栓用止水栓において、一方の供給流路の上流側、下流側および他方の供給流路の上流側、下流側をそれぞれ同時に連通または非連通にする手段を備え、その手段が、連通または非連通のための操作を行うための単一の操作部材と、この操作部材の操作に連動するよう一方の供給流路および他方の供給流路にそれぞれ設けられた開閉弁を含むことを特徴とする混合栓用止水栓を提供する（請求項４）。
【発明の効果】
【０００９】
請求項１に係る発明では、吐水口への一対の供給流路のそれぞれに設けた開閉弁を単一の操作部材で同時に操作して吐水・止水操作を行うことができる。そのため、湯水混合水の得るため湯側、水側の二つのハンドルを操作するよう構成されている従来の混合栓に比べて操作性を向上させることができる。また、単一の操作部材を取り外すだけで前記二つの開閉弁の交換が容易にできることから、メンテナンスがよい。また、従来構成の混合栓に比べて操作部材が一つ減ったことで清掃作業に手間がかかるといった問題やデザイン的にシンプルでないといった問題を解消できる。
【００１０】
また、請求項４に係る発明では、混合栓本体に連通する一対の供給流路のそれぞれに設けた開閉弁を単一の操作部材で同時操作して吐水・止水操作を行うことができ、操作性を向上させることができる。また、単一の操作部材を取り外すだけで二つの開閉弁の交換が容易にできることから、メンテナンスがよい。
【発明を実施するための最良の形態】
【００１１】
以下、この発明の実施例を、図を参照しながら説明する。なお、それによってこの発明は限定されるものではない。
【００１２】
図１〜図６は、吐水口への一対の供給流路のそれぞれに開閉弁が設けられているこの発明の一つの実施の形態を示す。なお、図２（Ａ）は弁体の閉状態を示し、図３（Ａ）は弁体を開状態を示す。
図１〜図６において、１は、例えば浴槽２のバスデッキ（取付面部）３に取り付けられるツーバルブ混合栓である。この混合栓１は、バスデッキ３に取り付けられる吐水口１ａと、バスデッキ３における吐水口１ａとは隣接した位置に取り付けられる混合栓本体１ｂとより主としてなる。
５，６は、異なる種類および／または異なる温度の混合水が流れる供給流路で、一方の供給流路５を構成する上流側の取水流路ｈおよび下流側の通水流路ｉ間には、開閉弁５ａが設けられているとともに、他方の供給流路６を構成する上流側の取水流路ｊおよび下流側の通水流路ｋ間には、開閉弁６ａが設けられている。
７は、開閉弁５ａ，６ａの各弁体１１（後述する）を同時に開状態あるいは閉状態にする単一の操作部材（操作ハンドル）である。
８，８は、供給流路５，６を形成するそれぞれ単一の金属製の胴で、図２（Ｂ）、図６に示すように同一形状をしている。そして、胴８は、弁体を内蔵した、図４に示す弁・シート収容部材１０（後述する）を収容する、上下方向（Ｚ方向）に平行な軸芯Ｑを有する筒状の収容部８ａと、この収容部８ａの胴面のＺ方向における異なる位置からそれぞれ下方へ連設されたエルボ状の一対の脚部８ｂ，８ｃとを有する。脚部８ｂはそれぞれ供給流路５および６の取水流路ｈおよびｊを形成する。また、脚部８ｃはそれぞれ供給流路５および６の通水流路ｉおよびｋを形成する。
【００１３】
以下、供給流路５の取水流路ｈおよび通水流路ｉと、供給流路６の取水流路ｊおよび通水流路ｋとをそれぞれ同時に連通または非連通にする構成について説明する。
９は、収容部８ａに、固定状態で上下方向に設置可能に嵌め込まれる金属製の筒体９である。収容部８ａ内には筒体９を前記収容部８ａ内の所定位置に取付けるため筒体９に形成された雄ねじ１４に螺合する雌ねじ１５が形成されている。この筒体９内には、ステンレス鋼線材のスプリングＳの付勢力によって閉状態〔図２（Ａ）参照〕となるスライド式の弁体１１と、スプリングＳの付勢力に抗する押し下げ操作によって筒体９内を下向きにガイドされ前記弁体１１を開状態〔図３（Ａ）参照〕とする金属製の被ガイド体Ｇとを主として有する。
さらに詳しく説明すると、筒体９は、下部先端に、供給流路５においては取水口Ｂに対向するよう、また、供給流路６においては取水口Ｅに対向するよう、弁座（シート部）１２を有する。さらに、筒体９は、開弁時、供給流路５においては取水流路ｈおよび通水流路ｉを連通する連通路ｍを形成する一対の連通口１３を、また、供給流路６においては取水流路ｊおよび通水流路ｋを連通する連通路ｎを形成する一対の連通口１３を、左右に有する。
すなわち、閉状態のとき図３（Ａ）に示す連通路ｍ，ｎが、図２（Ａ）に示すように、弁体１１によって同時に遮断されていたが弁体１１が開状態のとき通水流路ｈと取水流路ｉ、ならびに、通水流路ｊと取水流路ｋが同時に、連通路ｍおよびｎを介して連通する。１２ａは、弁座１２の近傍に設けたＯリングである。
弁体１１は、スピンドル２０の下端部に形成した雄ねじ２１に螺合する雌ねじ２２を中央孔２３内に有する金属製の弁本体１１ａとゴム製の環状パッキン１１ｂよりなる。スピンドル２０の上端部には凸状上面ｇを有する略筒状の被ガイド体Ｇの中央貫通孔２４に形成された雌ねじ２５の下部分に螺合する雄ねじ２６が形成されている。そして、筒体９は収容部８ａに固定設置される一方、スピンドル２０は、筒体９の挿入孔２７に挿入されて筒体９の軸方向（両矢印Ｈで示す方向）に被ガイド体Ｇならびに弁体１１とともに筒体９に対してスライド自在に保持される。そして、弁体１１、スピンドル２０、筒体９、スプリングＳ、被ガイド体Ｇとから弁・シート収容部材１０が構成される。
【００１４】
３０は、一対の被ガイド体Ｇ，Ｇが連結される金属製のガイドプレートである。このガイドプレート３０はディスク状で、被ガイド体Ｇ，Ｇの凸状上面ｇが係合する凹状下面部分３０ａ，３０ａを有し、凹状下面部分３０ａの中央には、一対のねじ孔３１，３１が形成されている。そして、被ガイド体Ｇの凸状上面ｇをガイドプレート３０の凹状下面部分３０ａに当接させながら、雄ねじ３２をねじ孔３１に挿通させ、かつ、雄ねじ３２を被ガイド体Ｇの雌ねじ２５の上部分に螺合させることにより、各被ガイド体Ｇは、ガイドプレート３０に連動連結されることになる。すなわち、ガイドプレート３０は、吐水・止水操作を行うための前記操作部材（操作ハンドル）７の回動操作により金属製のカバー３４の立ち上げ筒部３５内を上下方向（Ｚ方向）に移動する栓棒３６にねじ結合されており、栓棒３６の上下移動によりガイドプレート３０と共に一対の被ガイド体Ｇ，Ｇも上下移動する。３７は、弁・シート収容部材１０が収容された収容部８ａの下方開口を閉塞するキャップで、操作ハンドル３３を開方向に回すと、弁座（シート部）１２から離間した弁体１１の弁本体１１ａが当接する弁体移動規制リング部３７ａを先端に有する。
【００１５】
そして、弁体１１の全開状態での弁体１１の移動距離、すなわち、弁座１２および弁体移動規制リング部３７ａ間の距離は図３（Ａ）に示すように、所定の距離ｄに設定されている。この距離ｄは、通常のツーバルブ混合栓で用いられる湯あるいは水用操作ハンドルを吐水方向に最大に回転させたときの弁体の全開状態での弁体移動距離とは異なり、流量調整できるほどの距離ｄではなく実質的に小さく設定されている。
例えば、通常のツーバルブ混合栓で用いられる水用操作ハンドルは、水出口から混合室に流入する水量を調節するためのものである。即ち、水用操作ハンドルの回動操作を行うことによって、下部外面に雄ねじが切られたスピンドル軸が、スピンドル軸の下部外周を保持するガイドの雌ねじに沿って回動し、上下動する。それに伴って、スピンドル軸に保持された弁体が上下動可能または不能となり、弁座と弁体下部の間を通る水入口からの水量が変化し、水出口からの水の吐出量が変化するよう構成されている。一方、この発明で用いる操作ハンドル７は、図２（Ａ）に示すように、回動操作を行うことによって、下部外面に雄ねじ３６ａが切られた栓棒３６が、栓棒３６の下部外周を保持するカバー３４の雌ねじ３４ａに沿って回動し、上下動する。それに伴って、被ガイド体Ｇ、スピンドル２０を介して栓棒３６に保持された弁体１１が上下動可能または不能となるだけで、弁体１１の上下動する距離ｄが実質的に小さいことから、弁座１２と環状パッキン（弁体上部）１１ｂの間を通る水量が変化せず、結果として、通水口Ａあるいは通水口Ｄからの水の吐出量が変化しないよう構成されている。したがって、この発明では、流量調整は、両供給流路５および６それぞれの下流側である取水流路ｉおよびｋの終点位置に設けた流量調整プラグ４０および４１（図５参照）によって行われるよう構成されている。
【００１６】
前記取水口Ｂは例えば水が流れる樹脂管４２に連通され、前記取水口Ｅは例えば給湯器を通過した湯が流れる樹脂管４３に連通されている。
【００１７】
以下、図７を用いて、例えば浴槽２のバスデッキ（取付面部）３に操作ハンドル７を取り付けるときの手順について説明する。
（１）まず、バスデッキ３に形成した取付孔４４〔図７（Ａ）参照〕に、予め座パッキン４５ａが貼られている取付板４５を取り付ける〔図７（Ｂ）参照〕。この場合、バスデッキ３の下面側にはパッキン４６が位置するようビス４７を用いて取り付けられる。４８は座金である。
（２）次に、図７（Ｃ）に示すように、被ガイド体Ｇを含む弁・シート収容部材１０がそれぞれ収容された一対の胴８，８を、ビス４８を用いて取り付ける。  
（３）次に、図７（Ｄ）に示すように、取付板４５に対して、栓棒３６、ガイドプレート３０をビス５０，５１を用いて取り付ける。５２，５２はスベリパッキンである。  
（４）最後に、図７（Ｅ）に示すように、カバー３４を取付板４５にビス５３を用いて取り付け、カバー３４を合成樹脂製のスカート５５で覆い、オーリング５６、パッキン受け５７、三角パッキン５８およびパッキン押さえ５９、ならびに、操作ハンドル３３内に挿入されるビス６０およびキャップ６１を介して、操作ハンドル７を栓棒３６にねじ止めする。
【００１８】
以下、図５、図８を用いて、例えば浴槽２のバスデッキ（取付面部）３に、湯が流れる短い接続金具７０水が流れる長い接続金具７１が組付けられている吐水口１ａを取り付けるときの手順および吐水口１ａと一対の胴８，８との接続手順について説明する。
（１）図５に示すように、バスデッキ３に形成した取付孔６３に、予め座パッキン６４が貼られている金属製の取付足６５のねじ部６５ａを挿通させ、パッキン６６を介してバスデッキ３の下面側からロックナット６７で取付足６５を締付ける。
（２）続いて、接続金具７０と一方の胴８の通水口Ｄとを可撓管７２を介して連通する。また、接続金具７１と一方の胴８の通水口Ａとを可撓管７３を介して連通する。  
【００１９】
また、図９を用いて、弁・シート収容部材１０の交換手順について説明する。
図９（Ａ）に示すように、操作ハンドル７、スカート５５、カバー３４およびガイドプレート３０をこの順で取り外して、取付板４５上に一対の被ガイド体Ｇ，Ｇを露出させる。続いて、図９（Ｂ）に示すように、被ガイド体Ｇの上部の露出している周面に形成された面取り部分７７を工具を用いて保持しながらねじ結合を解除する方向に被ガイド体Ｇを回転させることにより、弁・シート収容部材１０’を胴８の収容部８ａから上方に引っ張り出すことができる。最後に、図９（Ｃ）に示すように、新しい弁・シート収容部材１０を胴８の収容部８ａにセットする。
【００２０】
最後に、筒状の流量調整プラグ４０および４１について説明する。
この発明では、一方の供給流路５および他方の供給流路６をそれぞれ流れる水および例えば給湯器を通過した湯とが流量調整された後合流されるよう構成されるとともに、両供給流路５，６それぞれの下流側を構成する取水流路ｉおよびｋを流れる水および湯が流量調整プラグ４０および４１によって流量調整されるように構成されている。流量調整プラグ４０は、取水流路ｉの最下流端に連通する筒状のプラグ収容部４０ａに回動自在に収容されている。また、流量調整プラグ４１は、逆止弁８０を介して取水流路ｋの最下流端に連通する筒状のプラグ収容部４１ａに回動自在に逆止弁８０と共に収容されている。プラグ収容部４１ａは、少なくとも一つの導出孔８１を胴面に有する。また、プラグ収容部４０ａは、対向する一対の導出孔８１’，８１’を胴面に有する。図５において、下方から上方に取水流路ｋを流れる湯は、逆止弁８０を通り、取水流路ｋの方向に平行な方向を軸として、この軸まわりに回動自在な流量調整プラグ４１の胴面に形成された一対の連通口９１，９１のうち例えば一方の連通口９１から、これに整合している前記導出孔８１を経て、筒状の支持棒８２の背面に形成された一つの導入口８３に至り、この導入口８３から支持棒８２内を流れるとともに、支持棒８２の下面に形成された複数の導出口８４から吐水管８５の最上流側に形成されたオーバーフロー口８７に至る。このように、取水流路ｋからオーバーフロー口８７に達する湯の流量は、流量調整プラグ４１を前記軸まわりに回動させることにより、プラグ収容部４１ａに設けた連通口８１と、流量調整プラグ４１に設けた連通口９１との整合具合によって調整できる。
また、下方から上方に取水流路ｉを流れる水は、取水流路ｉの方向に平行な方向を軸として、この軸まわりに回動自在な流量調整プラグ４０の胴面に対向するよう形成された一対の連通口９０，９０から、導出孔８１’，８１’を経て、オーバーフロー口８７に至る。そして、取水流路ｉからオーバーフロー口８７に達する湯の流量は、流量調整プラグ４０を前記軸まわりに回動させることにより、プラグ収容部４０ａに設けた連通口８１’と、流量調整プラグ４０に設けた連通口９０の整合具合によって調整できる。吐水口１ａは、オーバーフロー口８７を形成する吐水口基部９９と、これより下流側に位置する吐水管８５と、吐水口基部９９を覆うカバー８９とを含み、プラグ収容部４０ａ，４１ａおよび支持棒８２はカバー８９で覆われた状態で吐水口基部９９内に設けられている。
【００２１】
なお、この発明は、混合栓本体に連通する一対の供給流路が設けられている混合栓用止水栓においても適用できる。すなわち、混合栓用止水栓を、一方の供給流路の上流側、下流側および他方の供給流路の上流側、下流側をそれぞれ同時に連通または非連通にする手段を備え、その手段が、連通または非連通のための操作を行うための単一の操作部材と、この操作部材の操作に連動するよう一方の供給流路および他方の供給流路にそれぞれ設けられた開閉弁を含むように構成し、さらに、前記開閉弁は、筒体に内蔵されたスプリングの付勢力によって閉状態となるスライド式の弁体と、前記スプリングの付勢力に抗する押し下げ操作によって筒体内を下向きにガイドされ前記弁体を開状態とする被ガイド体とを備え、さらに、一方の供給流路に設けた前記被ガイド体と他方の供給流路に設けた前記被ガイド体が前記操作部材の操作によって同時にガイドされるよう単一のガイドプレートに連動連結されている。
【図面の簡単な説明】
【００２２】
【図１】（Ａ）は、この発明の一つの実施の形態における吐水口と混合栓本体との接続状態を示す要部斜視図である。（Ｂ）は、上記実施の形態の使用状態を示す斜視図である。
【図２】（Ａ）は、上記実施の形態における弁体の閉状態を示す断面図である。（Ｂ）は、図２（Ａ）に対応する一部断面を示す外観図である。（Ｃ）は、上記実施の形態における胴の下面図である。
【図３】（Ａ）は、上記実施の形態における弁体の開状態を示す断面図である。（Ｂ）は、図２（Ａ）に対応する一部断面を示す外観図である。
【図４】（Ａ）は、上記実施の形態における弁・シート収容部材を示す上面図である。（Ｂ）は、上記実施の形態における弁・シート収容部材の断面図である。
【図５】（Ａ）は、上記実施の形態における吐水口および吐水口まわりの配管を示す断面図である。（Ｂ）は、上記実施の形態における流量調整動作を説明するための図である。
【図６】上記実施の形態における分解斜視図である。
【図７】上記実施の形態における操作ハンドルを取り付けるときの手順についての説明図である。
【図８】上記実施の形態における吐水口と一対の胴との接続手順についての説明図である。
【図９】上記実施の形態における弁・シート収容部材の交換手順についての説明図である。
【符号の説明】
【００２３】
１              混合栓
１ａ            吐水口
５，６          供給流路
５ａ，６ａ      開閉弁
７              操作部材
１０            弁・シート収容部材
３０            ガイドプレート
ｈ，ｊ          取水流路
ｉ，ｋ          通水流路
Ｇ              被ガイド体
【図１】
2008095878.tif 000003
【図２】
2008095878.tif 000004
【図３】
2008095878.tif 000005
【図４】
2008095878.tif 000006
【図５】
2008095878.tif 000007
【図６】
2008095878.tif 000008
【図７】
2008095878.tif 000009
【図８】
2008095878.tif 000010
【図９】
2008095878.tif 000011